(57)【特許請求の範囲】
【請求項１】
本体と、鼓膜およびその近傍から発せられる赤外線を受光する受光部と、前記受光部の受光信号に基づき前記鼓膜およびその近傍の温度を演算する温度演算手段と、前記温度演算手段の演算結果を音声信号に変換する音声信号変換手段と、音声信号を音声に変換するスピーカーとを有し、前記音声を報知するタイミングを使用者が任意に設定可能である放射体温計。
【請求項２】
本体と、鼓膜およびその近傍から発せられる赤外線を受光する受光部と、前記受光部の受光信号に基づき前記鼓膜およびその近傍の温度を演算する温度演算手段と、前記温度演算手段の演算結果を音声信号に変換する音声信号変換手段と、音声信号を音声に変換するスピーカーと、使用者が温度測定の際に操作する操作部を有し、使用者が前記操作部を操作した時に前記温度演算手段が演算を開始し、使用者が前記操作部を操作し続けている場合には前記音声信号変換手段が動作を開始しない放射体温計。
【請求項３】
使用者が前記操作部の操作を終了した後に前記音声を前記スピーカーから報知する請求項２に記載の放射体温計。
【請求項４】
電源の電圧を検出する電源電圧検出手段を有し、前記電源電圧検出手段の検出した電源電圧が所定値以下の場合に、前記スピーカーにより報知を行う請求項１から３のいずれか１項に記載の放射体温計。
【請求項５】
前記スピーカーからの出力を調整する調整手段を有する請求項１から４のいずれか１項に記載の放射体温計。
【請求項６】
音を出力する報知手段と、電源の電圧を検出する電源電圧検出手段とを有し、前記電源電圧検出手段の検出した電源電圧により、前記報知手段の報知方法を可変できる請求項１から３及び５のいずれか１項に記載の放射体温計。
【発明の詳細な説明】
【０００１】
【発明の属する技術分野】
本発明は、生体の体温を耳孔内から発せられる赤外線量を検知することにより測定する放射体温計に関するものである。
【０００２】
【従来の技術】
従来より体温計として、耳孔内から発せられる赤外線量を検知して体温換算し表示する放射体温計があり、これらは水銀や熱電対を利用した接触型のものに対して短時間で測定可能であるという特徴がある。
【０００３】
その一般的な例として特開平６−１６５号公報に示されるものを図８により説明する。図８に示すように放射体温計は、プローブ１と、プローブ１内を長さ方向に走る導光管２と、導光管２内を伝搬した赤外線の放射強度を電気信号に変換する光電変換器（赤外受光素子）３と、変換された電気信号から温度を測定する測定回路（温度換算手段）４を備える。
【０００４】
このプローブ１を外耳道に挿入することで、光電変換器３が鼓膜およびその近傍から発せられる赤外線を受光し、受光した赤外線量に相関を持った電気信号を出力し、測定回路４がその電気信号から鼓膜およびその近傍の温度を換算するというものである。
【０００５】
しかしながら鼓膜温を測定する放射温度計にあっては、使用者が不特定多数であり、老人等の視力弱者や視覚障害者は、表示による結果の報知のみでは測定した体温を知ることが困難であることから、近年では音声報知機能付きの体温計が開発されている。
【０００６】
【発明が解決しようとする課題】
しかし、例えば視覚障害者の母親が幼い子供の体温を測定する場合、音声報知機能付きの体温計を使用しても、測定後即座に体温の報知が行われる現行のものでは測定結果を母親が知ることが出来ないという問題がある。その為、容易な操作方法で音声報知のタイミングを使用者が任意に設定できるようにする必要と要望が存在する。
【０００７】
また、現行の音声機能付きの体温計では、使用により電池等の電源が消耗して測定不可能な状態となっていても、使用者によっては測定できない状態であることが理解できず、故障と勘違いしてしまうという問題もある。
【０００８】
さらに、音声が耳の間近から発せられるので聞こえ方は個人により千差万別であり、音量、音質の最適値は使用者により異なり微妙な調整が必要となる。したがって、ある使用者にとっては聞きとりやすい音でも他の使用者にとっては聞きとりにくいという問題がある。また、状況によっては通常より音量を大きくしたほうが良い、あるいは小さくしたほうが良い場合等があるが、現行のものでは調整は不可能である。
【０００９】
その上、電池等の電源の寿命が使用者には全くわからず、いつの間にか使用不可能となり測定したい時にできないという問題も発生してしまうのである。
【００１１】
【課題を解決するための手段】
本発明は上記第一の課題を解決するために、本体と、鼓膜およびその近傍から発せられる赤外線を受光する受光部と、受光部の受光信号に基づき鼓膜およびその近傍の温度を演算する温度演算手段と、温度演算手段の演算結果を音声信号に変換する音声信号変換手段と、音声信号を音声に変換するスピーカーとを有し、前記音声を報知するタイミングを使用者が任意に設定可能である構成とする。更に、本体と、鼓膜およびその近傍から発せられる赤外線を受光する受光部と、受光部の受光信号に基づき鼓膜およびその近傍の温度を演算する温度演算手段と、温度演算手段の演算結果を音声信号に変換する音声信号変換手段と、音声信号を音声に変換するスピーカーと、使用者が温度測定の際に操作する操作部を有し、使用者が操作部を操作した時に温度演算手段が演算を開始し、使用者が前記操作部を操作し続けている場合には前記音声信号変換手段が動作を開始しない構成とする。
【００１２】
また、上記第二の課題を解決するために、電源の電圧を検出する電源電圧検出手段を有し、電源電圧検出手段の検出した電源電圧が所定値以下の場合に、スピーカーにより報知を行う構成とする。
【００１３】
さらに、上記第三の課題を解決するために、前記スピーカーからの出力を調整する調整手段を有する構成とする。
【００１４】
そして、上記第四の課題を解決するために、音を出力する報知手段と、電源の電圧を検出する電源電圧検出手段を有し、電源電圧検出手段の検出した電源電圧により、報知手段の報知方法を可変できる構成とする。
【００１６】
【発明の実施の形態】
本発明の請求項１にかかる放射体温計は、本体と、鼓膜およびその近傍から発せられる赤外線を受光する受光部と、受光部の受光信号に基づき鼓膜およびその近傍の温度を演算する温度演算手段と、温度演算手段の演算結果を音声信号に変換する音声信号変換手段と、音声信号を音声に変換するスピーカーとを有し、音声を報知するタイミングを使用者が任意に設定可能である構成とする。また、本発明の請求項２にかかる放射体温計は、本体と、鼓膜およびその近傍から発せられる赤外線を受光する受光部と、受光部の受光信号に基づき鼓膜およびその近傍の温度を演算する温度演算手段と、温度演算手段の演算結果を音声信号に変換する音声信号変換手段と、音声信号を音声に変換するスピーカーと、使用者が温度測定の際に操作する操作部を有し、使用者が操作部を操作した時に温度演算手段が演算を開始し、使用者が操作部を操作し続けている場合には音声信号変換手段が動作を開始しない構成とする。これらにより、容易な操作方法で音声報知のタイミングを使用者が任意に設定できるようになり、従来の音声報知機能付きの体温計を使用した場合に測定後即座に体温の報知が行われ、測定結果を聞くことが出来ないという不具合を低減することができ、例えば視覚障害者の母親が幼い子供の体温を測定する場合などにも対応することができ、使い勝手の向上が可能となる。
本発明の請求項３にかかる放射体温計は、請求項２の放射体温計において、使用者が操作部の操作を終了した後に音声をスピーカーから報知する構成とする。
【００１７】
また、本発明の請求項４にかかる放射体温計は、請求項１から３のいずれかの放射体温計において、電源の電圧を検出する電源電圧検出手段を有し、電源電圧検出手段の検出した電源電圧が所定値以下の場合に、スピーカーにより報知を行う構成とすることにより、電池等の電源が消耗し測定不可能な状態となっても、使用者によっては測定できない状態であることが理解できないという問題を低減することができ、使い勝手の向上が可能となる。
【００１８】
さらに、本発明の請求項５にかかる放射体温計は、請求項１から４のいずれかの放射体温計において、前記スピーカーからの出力を調整する調整手段を有する構成とすることにより、音声を使用者にとって最適なものとすることができ、従来の聞きとりにくいという問題を改善することができ、聞き取りの誤り等から発生する問題を低減し、明瞭な報知音声を得ることが出来き、測定の信頼性の向上が可能となる。
【００１９】
そして、本発明の請求項６にかかる放射体温計は、請求項１から３及び５のいずれかの放射体温計において、音を出力する報知手段と、電源の電圧を検出する電源電圧検出手段を有し、電源電圧検出手段の検出した電源電圧により、報知手段の報知方法を可変できる構成とすることにより、電池等の電源の寿命が使用者には全くわからず、いつの間にか使用不可能となり測定したい時にできないという問題を低減し、使い勝手の向上が可能となる。
【００２１】
【実施例】
（実施例１）
以下、本発明の実施例１を図１、２、３を参照しながら説明する。図１は本発明の放射体温計の側断面構成図、図２は正面図、図３はブロック図である。
【００２２】
図１、図２、図３において１はプローブで体温測定に際して外耳道に挿入する部分であり、鼓膜に向かう側の先端方向に細くした形状で、先端は開口している赤外線通過部２を有する。３は体温計本体であり、前述のプローブ１、制御回路電源のＯＮ／ＯＦＦをつかさどる電源スイッチ４、使用者が体温を測定する際に押す測定スイッチ５等を有する。
【００２３】
６は受光部でプローブ１の赤外線通過部２を通過した赤外線のみを受光し、その赤外線量に応じて温度演算手段７が電気信号に変換し、それを制御手段８が温度に変換して表示手段９に表示するのである。ここで表示される温度は赤外線の照射源であり、鼓膜およびその近傍の温度に相当する。さらに、制御手段８は温度演算手段７が変換した電気信号を、記憶手段１０に記憶された言語の音声に変換する音声信号変換手段１１を制御し、音声信号変換手段１１により変換された音声信号はスピーカー１２により音声に変換されるのである。以上の構成をブロック図に示したものが、図３であり、矢印は信号あるいは情報の伝達する順序を示している。
【００２４】
上記構成において、その動作を説明する。体温を測定しようとする場合、使用者はまず本体３の電源スイッチ４を押す。電源スイッチ４が押されると、制御回路全体が測定可能な状態となり、制御手段８により表示手段９にその旨の表示がなされる。その後、使用者はプローブ１を外耳道に挿入する。鼓膜およびその近傍から発せられた赤外線はプローブ１の赤外線通過部２を通過し、受光部６に到達する。測定スイッチ５が押されると制御手段８は温度演算手段７を駆動し受光部６に到達した赤外線を相当の電気信号に変換し、制御手段８はこの電気信号を受信し温度に変換して表示手段９に体温として表示する。また、制御手段８は使用者が測定スイッチ５を押し続けているか否かを検出し続けており、押し続けている場合には音声信号変換手段１１の駆動を開始せず、押す動作の終了後に音声信号変換手段１１の動作を開始し温度演算手段７からの電気信号を音声信号に変換し、スピーカー１２から音声として出力する構成となっているのである。
【００２５】
以上の動作をタイムチャートに示したのが、図４である。制御手段８は、図４のＡ点において測定スイッチ５が押されたことを検知し、Ｂ点において押す動作の終了を検知する。そして、Ａ点から温度演算手段７の動作を開始し、表示手段９に表示し、Ｂ点から音声信号変換手段１１の駆動を開始し音声信号への変換を始め、その結果スピーカー１２から音声が出力されるのである。上記実施例では、測定スイッチ５を押す動作の終了と同時に音声信号変換手段１１の駆動を開始する構成としたが、終了後に時間差を設けても効果は同じである。要は、容易な操作方法で音声報知のタイミングを使用者が任意に設定できるようにすることにより、使い勝手の向上が可能となる。
【００２６】
（実施例２）
図１において、１３は電極であり電源（電池、図示せず）がセットできるようになっている。また、１４はその電圧を検出する電源電圧検出手段である。その他の構成は、上記実施例１と同様である。
【００２７】
使用者が放射体温計を用いて体温の測定を繰り返し行う場合、電源の電圧は、図５に示すように徐々に低下する。制御手段８は、電源電圧検出手段１４によりこの電圧を検知し、所定の値（この場合はＣ点）以下となれば音声信号変換手段１１により記憶手段１０に記憶されている「測定できません」等の報知がスピーカー１２より行われる構成となっている。音声ではなく音により報知を行う場合と比較して使用者にとって理解しやすいという利点がある。この場合、報知のタイミングはいつでも良く（測定スイッチ５の操作開始時、途中、終了時）、要は、電池等の電源が消耗し測定不可能な状態となっていることが使用者に理解できれば良く、その結果として使い勝手の向上が可能となれば良い。
【００２８】
（実施例３）
図６ａにおいて、１５は可変抵抗等で構成された調整手段であり、この実施例の場合は可変抵抗であり、音声信号変換手段１１とスピーカー１２の間に設けられている。その他の構成は、上記実施例１と同様である。
【００２９】
使用者は、一度温度測定を行い音声による報知を聞き、その音声が大きいと判断すれば抵抗値が大きくなるように調整手段１５を操作することにより、そこでの音の減衰を大きくし、逆に音声が小さいと判断すれば抵抗値が小さくなるように調整手段１５を操作する。この様にして、微妙な調整の必要とされる音量を任意に調整することができ、使用者は最適な音量で音声の報知を聞くことができる構成となっている。また、同様に音質についても調整が可能である。また、図６ｂのように、調整手段１５は音声信号変換手段１１の前に設けられていても同様の効果を得ることができる。要するに、音が固定されているのではなく、使用者により２段階あるいはそれ以上に可変な構成となっていれば良い。その結果、使用者にとって聞き取りやすい音を提供することができる。
【００３０】
（実施例４）
図１において、１６はブザー等で構成された報知手段であり、その他の構成は、上記実施例２と同様である。
【００３１】
上記実施例２と同様に制御手段８は、電源（図示せず）の電圧を検知し、その電圧レベルによりあらかじめ記憶した報知の方法により、報知手段１６を用いて報知を行うのである。この場合、報知のタイミングはいつでも良いのである（測定スイッチ５の操作開始時、途中、終了時）。例えば、図７に示すように、電源電圧がレベル（イ）の場合、レベル（ロ）の場合、及びレベル（ハ）の場合という具合に変化させるのである。これにより、電源（図示せず）の寿命が使用者には全くわからず、いつの間にか使用不可能となり測定したい時にできないという問題を低減し、使い勝手の向上が可能となる。ここで、報知の種類は何種類でも良く、報知の方法の違いにより使用者に電源（図示せず）の電圧が変化したことを理解させることができる構成としておけば良い。
【００３２】
（実施例５）
図９において、制御手段８は、電源電圧検出手段１４により電源（図示せず）の電圧を検知している。そして、その電圧が所定値以上の場合は、音声信号検出手段１１を駆動してスピーカー１２（第一の報知手段）により音声の報知を行う。この場合、電源電圧の低下は制御回路の動作電圧内であり、問題なく動作するが、電圧レベルが所定値以下に低下している場合には、スピーカー１２（第一の報知手段）により音声の報知を行うと電源電圧の低下は制御回路の動作電圧範囲よりも低下してしまい動作不良となるために、報知手段１６（第二の報知手段）を用いて報知を行う構成としたものである。このように、報知手段を切り替えることにより、測定の途中で動作不良となってしまうという不具合を生じることが低減でき、使い勝手の向上を可能とするものである。
【００３３】
【発明の効果】
以上説明したように本発明の放射体温計は以下の効果を有する。
【００３４】
本発明の請求項１にかかる放射体温計によれば、音声を報知するタイミングを使用者が任意に設定可能である構成とする。また、本発明の請求項２にかかる放射体温計によれば、使用者が操作部を操作した時に温度演算手段が演算を開始し、使用者が操作部を操作し続けている場合には音声信号変換手段が動作を開始しない構成とする。これらにより、容易な操作方法で音声報知のタイミングを使用者が任意に設定できるようになり、従来の音声報知機能付きの体温計を使用した場合に測定後即座に体温の報知が行われ、測定結果を聞くことが出来ないという不具合を低減することができる。
【００３５】
本発明の請求項４にかかる放射体温計によれば、電源電圧検出手段の検出した電源電圧が所定値以下の場合に、スピーカーにより報知を行う構成とすることにより、電池等の電源が消耗し測定不可能な状態となっても、使用者によっては測定できない状態であることが理解できないという問題を低減することができ、使い勝手の向上が可能となる。
【００３６】
本発明の請求項５にかかる放射体温計によれば、音声を使用者にとって最適なものとすることができ、従来の聞きとりにくいという問題を改善することができ、聞き取りの誤り等から発生する問題を低減し、明瞭な報知音声を得ることが出来、測定の信頼性の向上が可能となる。
【００３７】
本発明の請求項６にかかる放射体温計によれば、電源電圧検出手段の検出した電源電圧により、報知手段の報知方法を可変できる構成とすることにより、電池等の電源の寿命が使用者には全くわからず、いつの間にか使用不可能となり測定したい時にできないという問題を低減し、使い勝手の向上が可能となる。
【図面の簡単な説明】
【図１】本発明の第１の実施例における放射体温計の構成図
【図２】本発明の第１の実施例における正面図
【図３】本発明の第１の実施例におけるブロック図
【図４】本発明の第１の実施例におけるタイムチャート
【図５】本発明の第２の実施例における図
【図６】（ａ）本発明の第３の実施例におけるブロック図
（ｂ）本発明の第３の実施例における他のブロック図
【図７】本発明の第４の実施例における図
【図８】本発明の第５の実施例におけるブロック図
【図９】従来例における放射体温計の構成図
【符号の説明】
３  本体
４  電源スイッチ
５  測定スイッチ
６  受光部
７  温度演算手段
８  制御手段
１０  記憶手段
１１  音声信号変換手段
１２  スピーカー（第一の報知手段）
１４  電源電圧検出手段
１５  調整手段
１６  報知手段（第二の報知手段）
【図１】
0004171116.tif 000002
【図２】
0004171116.tif 000003
【図３】
0004171116.tif 000004
【図４】
0004171116.tif 000005
【図５】
0004171116.tif 000006
【図６】
0004171116.tif 000007
【図７】
0004171116.tif 000008
【図８】
0004171116.tif 000009
【図９】
0004171116.tif 000010